(57)【要約】【課題】迅速な情報の配信をすることができ、且つ画像を用いた表現性の高い情報を配信することができるようにする。【解決手段】ニュース管理サーバ２０の動画データ受信部２１は、動画データを生成する送信側携帯電話機１０から、通信ネットワーク１００を介して動画データ付加情報を受信する。動画データ保管部２２は、受信した動画データ付加情報に含まれる動画データを記憶する。動画データ再生部２３によって再生された動画を確認し、ニュースとして利用する価値があると判断され、ニュース配信業者から編集の指示が入力された場合には、配信用ニュース編集部２４は、その動画データを用いて配信用ニュースを編集生成する。そして、配信用ニュース送信部２５は、生成した配信用ニュースを、通信ネットワーク１００を介して受信側携帯電話機３０に送信する。【選択図】  図２
2004164138.tif 000002
【特許請求の範囲】
【請求項１】
情報配信サービスの利用者が使用する利用者端末に情報を配信する情報配信システムであって、
画像データを作成する携帯端末から受信した画像データに基づいて管理者に画像を提示する画像再生手段と、
前記画像データと管理者から入力されるデータとを用いて、前記利用者端末に配信する配信用情報を生成する情報生成手段と、
前記配信用情報を、情報伝達網を介して前記利用者端末に配信する情報配信手段とを備え、
前記情報生成手段は、画像及び管理者から入力されるデータを所定の形式で提示するフォーマットデータに、前記画像データと前記管理者から入力されるデータとを付加することによって前記配信用情報を生成する
ことを特徴とする情報配信システム。
【請求項２】
情報生成手段は、フォーマットデータに、画像データと管理者から入力されるテキストデータとを付加することによって配信用情報を生成する
請求項１記載の情報配信システム。
【請求項３】
情報生成手段は、フォーマットデータに、画像データと管理者から入力される音声データとを付加することによって配信用情報を生成する
請求項１または請求項２記載の情報配信システム。
【請求項４】
携帯端末から、情報伝達網を介して画像データを受信する画像データ受信手段を備え、
前記画像データ受信手段は、前記携帯端末から、画像データとともに前記画像データを分類するための区分情報を受信し、
画像再生手段は、管理者に指定された区分情報に対応する画像データに基づいて画像を再生する
請求項１から請求項３のうちのいずれか１項に記載の情報配信システム。
【請求項５】
画像データの品質を示す品質情報が所定の基準を満足しない場合に、前記画像データを廃棄する品質判定手段を備えた
請求項１から請求項４のうちのいずれか１項に記載の情報配信システム。
【請求項６】
携帯端末を所持する情報提供者の属性情報を記憶する情報提供者情報記憶手段と、
管理者に指定された属性情報に合致する情報提供者の携帯端末に、情報伝達網を介して情報の提供を依頼する旨の情報を送信する情報提供依頼送信手段とを備えた
請求項１から請求項５のうちのいずれか１項に記載の情報配信システム。
【請求項７】
情報提供者情報記憶手段は、情報提供者毎に携帯端末のアドレス情報と情報提供者の属性情報とを記憶し、
情報提供依頼送信手段は、管理者に指定された属性情報に対応するアドレス情報を送信先として、情報伝達網を介して情報の提供を依頼する旨の情報を送信する
請求項６記載の情報配信システム。
【請求項８】
携帯端末から受信した画像データを管理する情報管理サーバと、
前記情報管理サーバから画像データを受信して配信用情報を生成する配信用情報生成端末とを備えた
請求項１から請求項７のうちのいずれか１項に記載の情報配信システム。
【請求項９】
配信用情報生成端末は、放送ネットワークを介して放送するための配信用情報を生成する
請求項８記載の情報配信システム。
【請求項１０】
情報配信サービスの利用者が使用する利用者端末に情報を配信する情報配信方法であって、
画像データを作成する携帯端末から画像データを受信するステップと、
前記画像データに基づいて管理者に画像を提示するステップと、
画像及び管理者から入力されるデータを所定の形式で提示するフォーマットデータに、前記画像データと管理者から入力されるデータとを付加することによって配信用情報を生成するステップと、
前記配信用情報を、情報伝達網を介して前記利用者端末に配信するステップとを含む
ことを特徴とする情報配信方法。
【請求項１１】
情報配信サービスの利用者が使用する利用者端末に情報を配信させるための情報配信プログラムであって、
コンピュータに、
画像データを作成する携帯端末から画像データを受信する処理と、
前記画像データに基づいて管理者に画像を提示する処理と、
画像及び管理者から入力されるデータを所定の形式で提示するフォーマットデータに、前記画像データと管理者から入力されるデータとを付加することによって配信用情報を生成する処理と、
前記配信用情報を、情報伝達網を介して前記利用者端末に配信する処理とを
実行させるための情報配信プログラム。
【発明の詳細な説明】
【０００１】
【発明の属する技術分野】
本発明は、情報配信サービスの利用者に情報を配信する情報配信システム、情報配信方法、及び情報配信プログラムに関する。
【０００２】
【従来の技術】
携帯電話機に代表される携帯端末装置の普及や、これらの携帯端末装置のマルチメディア（ｍｕｌｔｉｍｅｄｉａ）化等によって、様々な情報提供システムが考案されている。
【０００３】
このような情報提供システムとして、特許文献１には、取材者が携帯する取材用携帯端末装置を用いた取材支援システムが記載されている。特許文献１に記載された取材支援システムの取材用携帯端末は、動画や画像の取得手段、取材者の現在位置をＧＰＳ（Ｇｌｏｂａｌ  Ｐｏｓｉｔｉｏｎｉｎｇ  Ｓｙｓｔｅｍ  ）を利用して取得する位置検出手段、取材者が口頭で述べた音声メール形式の記事を電子新聞サーバに送信する音声メール手段等を備える。取材支援システムの電子新聞サーバは、取材用携帯端末が取得したこれらの情報をニュースデータとして記憶する。そして、電子新聞サーバ側にいる記者は、電子新聞サーバが記憶するニュースデータに基づき、編集会議室でニュース原稿を作成してニュースとして報道する。
【０００４】
また、特許文献２には、電話機を大型化せずに、動画像データや音声データ等の大量データからなるコンテンツを相手に送信できるコンテンツ伝送方法が記載されている。特許文献２に記載されたコンテンツ伝送方法では、コンテンツ伝送サーバが送信元の携帯電話機から受信したコンテンツを記憶する。そして、コンテンツ伝送サーバは、送信先の携帯電話機からの要求に応じて、記憶するコンテンツを送信先の携帯電話機に送信する。
【０００５】
また、特許文献３には、作物耕作地から離れた場所に居住する遠隔モニタ者が、作物耕作地に植えた作物の生育状況を所望時に見ることができる作物生育状況モニタシステムが記載されている。特許文献３に記載された作物生育状況モニタシステムでは、画像サーバは、作物耕作地に設置されるモニタ装置が撮影した画像を、インターネットを介して作物耕作地で栽培されている作物の監視者が携帯する携帯端末装置に送信する。
【０００６】
さらに、特許文献４には、報告書等のドキュメントを、移動先で撮影した画像を使って簡便に作成できるドキュメント作成システムが記載されている。特許文献４に記載されたドキュメント作成システムでは、サーバは、デジタル画像データ、デジタル画像データの関連データ及びデータ加工に関する指示情報を、ネットワークを介して移動先の端末から受信し、受信した指示情報に基づいてデジタル画像データ及びデジタル画像データの関連データを所定のフォーマットで加工してドキュメントを作成する。
【０００７】
【特許文献１】
特開平８−３２２０９１号公報（第４−１１頁、第１図）
【特許文献２】
特開２００２−１１２３３８号公報（第３−８頁、第１，２図）
【特許文献３】
登録実用新案第３０８１６５４号公報（第８−１５頁、第１，２図）
【特許文献４】
特開２００２−４１５０２号公報（第５−８頁、第１，３図）
【０００８】
【発明が解決しようとする課題】
特許文献１に記載された取材支援システムでは、取材者の負担を軽減して取材活動を支援することはできる。しかし、電子新聞サーバは新聞記事の編集支援は行わず、記者は、編集会議室でニュース原稿を作成することにより新聞記事の編集作業を行っていた。そのため、ニュース原稿の作成に手間取り迅速なニュースの報道が行えない場合がある。また、電子新聞サーバは編集会議室で編集された新聞記事を送信していたので、電子新聞サーバに、編集した新聞記事全体を入力しなければならなかった。しかし、新聞記事の配信業者にとっては、取材端末からの画像データに追加する情報（例えば、記事等の文字情報）を入力するだけで、配信するデータが作成されることが好ましい。また、取材者は専用の取材用携帯端末を携帯しなければならないので、情報源及び取材要員の確保が容易に行えない場合がある。
【０００９】
また、特許文献２に記載されたコンテンツ伝送方法では、コンテンツ伝送サーバは、単に送信先の携帯電話機からの要求に応じて記憶するコンテンツを送信する手段を備えるにすぎない。すなわち、送信元携帯電話機から送信されたコンテンツは、修正等されずに送信先携帯電話機に送信される。よって報道等の情報配信サービスへの適用が困難である。
【００１０】
また、特許文献３に記載された作物生育状況モニタシステムは、定期的に所定の場所の画像を伝達するにすぎず、報道等の情報配信サービスへの適用が困難である。
【００１１】
さらに、特許文献４に記載されたドキュメント作成システムは、移動先の端末から受信した画像データ等を所定フォーマットで加工してドキュメントを作成しているにすぎない。よって、報道等のための情報を視聴者などに配信することは困難である。
【００１２】
そこで、本発明は、迅速な情報の配信をすることができ、且つ動画や静止画を用いた表現性の高い情報を配信することができるようにすることを目的とする。
また、容易に情報源及び取材要員を確保することができるようにすることを目的とする。
【００１３】
【課題を解決するための手段】
本発明による情報配信システムは、情報配信サービスの利用者が使用する利用者端末に情報を配信する情報配信システムであって、画像データを作成する携帯端末から受信した画像データに基づいて管理者に画像を提示する画像再生手段（動画データ再生部２３や動画データ再生部５１２によって実現される）と、画像データと管理者から入力される情報とを用いて、利用者端末に配信する配信用情報（例えば、配信用ニュース）を生成する情報生成手段（配信用ニュース編集部２４によって実現される）と、配信用情報を、情報伝達網（例えば、通信ネットワーク１００やテレビジョン放送網１１０）を介して利用者端末に配信する情報配信手段（配信用ニュース送信部２５によって実現される）とを備え、情報生成手段は、画像及び管理者から入力されるデータを所定の形式で提示するフォーマットデータに、画像データと管理者から入力されるデータとを付加することによって配信用情報を生成することを特徴とする。
【００１４】
情報生成手段は、フォーマットデータに、画像データと管理者から入力されるテキストデータとを付加することによって配信用情報を生成するものであってもよい。そのような構成によれば、簡易に配信用情報を生成することができ、情報配信の効率化を図ることができる。
【００１５】
情報生成手段は、フォーマットデータに、画像データと管理者から入力される音声データを付加することによって配信用情報を生成するものであってもよい。
そのような構成によれば、画像に加えて音声による情報が付加された表現性の高い情報を配信することができる。
【００１６】
情報配信システムは、携帯端末から、情報伝達網を介して画像データを受信する画像データ受信手段（動画データ受信部２１によって実現される）を備え、画像データ受信手段は、携帯端末から、画像データとともに画像データを分類するための区分情報（例えば、動画を撮影した日時や撮影した場所の情報）を受信し、画像再生手段は、管理者に指定された区分情報に対応する画像データに基づいて画像を再生するものであってもよい。そのような構成によれば、管理者は、配信用情報を編集生成する際に、区分情報を指定することにより所望の画像を確認することができる。従って、配信用情報の編集生成の作業の効率化を図ることができる。
【００１７】
情報配信システムは、画像データの品質を示す品質情報（例えば、動画の再生時間や動画の画素数の情報）が所定の基準を満足しない場合に、画像データを廃棄する品質判定手段（品質判定部２６によって実現される）を備えたものであってもよい。そのような構成によれば、ニュースの素材となりえないような品質の悪い画像データまで画像を再生して確認する手間が必要なく、配信用ニュースを編集して生成する処理の効率化を図ることができる。
【００１８】
情報配信システムは、携帯端末を所持する情報提供者の属性情報（例えば、図１０に示す各情報提供者の自宅住所、勤務地または通学地の住所等の情報）を記憶する情報提供者情報記憶手段（情報提供者データ部２７によって実現される）と、管理者に指定された属性情報に合致する情報提供者の携帯端末に、情報伝達網を介して情報の提供を依頼する旨の情報（例えば、図１１に示すステップＳ３１で送信される取材依頼情報）を送信する情報提供依頼送信手段（取材依頼送信部２８によって実現される）とを備えたものであってもよい。そのような構成によれば、事件等が発生した場合に情報提供者に取材を依頼することによって情報を取得するので、ニュースの素材となりそうな有力な情報を入手しているにもかかわらずそのニュースに関する情報を取得するための取材手段を有していないために、そのニュースの配信を行えないという事態を防止できる。
【００１９】
情報提供者情報記憶手段は、情報提供者毎に携帯端末のアドレス情報（例えば、図１０に示す各情報提供者の携帯電話電子メールアドレスの情報）と情報提供者の属性情報とを記憶し、情報提供依頼送信手段は、管理者に指定された属性情報に対応するアドレス情報を送信先として、情報伝達網を介して情報の提供を依頼する旨の情報を送信するものであってもよい。そのような構成によれば、事件等が発生した場所の近辺に居住または勤務する情報提供者等の携帯端末のアドレス情報を自動的に抽出して取材を依頼することができる。従って、ニュースの素材となりそうな有力な情報を入手している場合に、情報提供者に取材を依頼して画像データ等の情報を取得する作業の効率化を図ることができる。
【００２０】
情報配信システムは、携帯端末から受信した画像データを管理する情報管理サーバ（ニュース管理サーバ２０によって実現される）と、情報管理サーバから画像データを受信して配信用情報を生成する配信用情報生成端末（放送局端末５１によって実現される）とを備えたものであってもよい。そのような構成によれば、情報の受信機能及び画像データ再生機能を備えた携帯端末を所持する利用者だけでなく、他の情報メディア（通信メディア、放送メディア等）の利用者に対しても情報を配信することができる。
【００２１】
配信用情報生成端末は、放送ネットワークを介して放送するための配信用情報を生成するものであってもよい。そのような構成によれば、テレビジョン放送の視聴者に対しても情報を配信することができる。
【００２２】
本発明による情報配信方法は、情報配信サービスの利用者が使用する利用者端末に情報を配信する情報配信方法であって、画像データを作成する携帯端末から画像データを受信するステップと、画像データに基づいて管理者に画像を提示するステップと、  画像及び管理者から入力されるデータを所定の形式で提示するフォーマットデータに、画像データと管理者から入力されるデータとを付加することによって配信用情報を生成するステップと、配信用情報を、情報伝達網を介して利用者端末に配信するステップとを含むことを特徴とする。
【００２３】
本発明による情報配信プログラムは、情報配信サービスの利用者が使用する利用者端末に情報を配信させるための情報配信プログラムであって、コンピュータに、画像データを作成する携帯端末から画像データを受信する処理と、画像データに基づいて管理者に画像を提示する処理と、画像及び管理者から入力されるデータを所定の形式で提示するフォーマットデータに、画像データと管理者から入力されるデータとを付加することによって配信用情報を生成する処理と、配信用情報を、情報伝達網を介して利用者端末に配信する処理とを実行させることを特徴とする。
【００２４】
【発明の実施の形態】
実施の形態１．
以下、本発明の第１の実施の形態を図面を参照して説明する。以下に示す例では、情報配信システムとして、ニュース配信サービスの利用者（以下、単に利用者という）にニュース（例えば、政治、経済、事件、スポーツ等のニュース情報）を配信するニュース配信システムを例に説明する。利用者は携帯電話機を所持し、受信したニュースを携帯電話機に表示して情報取得する。
【００２５】
図１は、本実施の形態によるニュース配信システムの構成の例を示すブロック図である。図１に示すように、ニュース配信システムにおいては、情報提供者が使用する送信側携帯電話機１０と、利用者が使用する受信側携帯電話機３０と、ニュースを管理及び配信するニュース配信業者が使用するニュース管理サーバ２０とが、通信ネットワーク１００に接続される。本例では、通信ネットワーク１００は、インターネットである場合を例に説明する。なお、通信ネットワーク１００は、インターネット以外の他の通信ネットワークであってもよい。
【００２６】
送信側携帯電話機１０は、ニュース配信業者にニュースを編集するための素材となる情報（例えば、事件現場の動画データ）を提供する情報提供者によって使用される端末である。送信側携帯電話機１０は、映像を撮影して動画データを生成することができるカメラ付き携帯電話機である。送信側携帯電話機１０は、例えば、ＣＣＤカメラを搭載した携帯電話機である。また、送信側携帯電話機１０は、インターネットを介して電子メールを送受信することができる携帯電話機である。送信側携帯電話機１０には、電子メールを送受信するためのメーラ（ｍａｉｌｅｒ）と呼ばれるソフトウェアがインストールされている。なお、送信側携帯電話機１０は、１台に限定されず複数台数が存在しうる。
【００２７】
なお、情報提供者は、予めニュース配信業者と情報の提供についての契約を締結している者である必要はない。すなわち、上記の動画データ生成機能とインターネット接続機能とを備えた送信側携帯電話機１０を所持する者であれば誰でも情報提供者としてニュース配信業者に情報を提供できる。
【００２８】
また、情報提供者が使用する携帯端末はカメラ付き携帯電話機に限られない。
動画データ生成機能及び生成した動画データの送信機能（インターネット接続機能等）を備えたものであれば、ＰＤＡ（Ｐｅｒｓｏｎａｌ  Ｄｉｇｉｔａｌ  Ａｓｓｉｓｔａｎｔ）等の他の携帯端末であってもよい。
【００２９】
受信側携帯電話機３０は、利用者によって使用される端末である。利用者は、ニュースの配信を受けるために予めニュース配信業者とサービス提供のための契約を締結している者である。受信側携帯電話機３０は、インターネットを介して電子メールを送受信したり、Ｗｅｂコンテンツを表示できる携帯電話機である。
受信側携帯電話機３０には、メーラやブラウザ（ｂｒｏｗｓｅｒ）がインストールされている。また、受信側携帯電話機３０には、動画再生用のソフトウェアがインストールされていて、受信側携帯電話機３０は、動画を再生することができる。なお、受信側携帯電話機３０は、１台に限定されず複数台数が存在しうる。
【００３０】
なお、利用者が使用する携帯端末は携帯電話機に限られない。配信されたニュースの受信機能（インターネット接続機能等）及び動画データ再生機能を備えたものであれば、ＰＤＡ等の他の携帯端末であってもよい。
【００３１】
ニュース管理サーバ２０は、ニュース配信業者によって使用されるサーバであり、Ｗｅｂサーバ等の情報処理装置である。図２は、ニュース管理サーバ２０の構成の例を示す機能ブロック図である。図２に示すように、ニュース管理サーバ２０は、送信側携帯電話機１０から動画データを受信する動画データ受信部２１と、受信した動画データを記憶する動画データ保管部２２と、動画データに基づいて動画を再生する動画データ再生部２３と、ニュース配信業者の操作に従い動画データを編集することにより配信用ニュース（配信用情報）を生成する配信用ニュース編集部２４と、配信用ニュースを受信側携帯電話機３０に配信する配信用ニュース送信部２５とを含む。
【００３２】
また、図３は、ニュース管理サーバ２０の構成の例を示すブロック図である。
制御部５００は、記憶装置５０１が記憶するプログラムに従って、処理を実行する。データベース装置５０２は、送信側携帯電話機１０から受信した動画データを記憶する。ネットワークインタフェース部５０３は、通信ネットワーク１００を介して情報を送受信する。入力部５０４は、キーボードやマウス等によって構成され、ニュース配信業者からの情報の入力を受けつける。出力部５０５は、ディスプレイ装置等によって構成され、受信した動画データ及び編集に伴い入力された情報等を表示する。
【００３３】
制御部５００は、プログラムに従い、データの送受信処理、動画データの再生処理、ニュース配信業者の操作に従って動画データを編集して配信用ニュースを生成する処理等、本実施の形態に示す各処理を実行する。
【００３４】
本実施の形態において、動画データ受信部（画像データ受信手段）２１及び配信用ニュース送信部（情報配信手段）２５は、制御部５００及びネットワークインタフェース部５０３によって実現される。動画データ保管部２２は、データベース装置５０２によって実現される。動画データ再生部（画像再生手段）２３及び配信用ニュース編集部（情報生成手段）２４は、制御部５００、入力部５０４及び出力部５０５によって実現される。
【００３５】
また、本実施の形態において、記憶装置５０１は、コンピュータに、画像データを作成する携帯端末から画像データを受信する処理と、画像データに基づいて管理者に画像を提示する処理と、画像及び管理者から入力されるデータを所定の形式で提示するフォーマットデータに、画像データと管理者から入力されるデータとを付加することによって配信用情報を生成する処理と、配信用情報を、情報伝達網を介して利用者端末に配信する処理とを実行させる情報配信プログラムを記憶する。
【００３６】
次に動作について説明する。図４は、本実施の形態によるニュース配信の処理経過の例を示す流れ図である。情報提供者は、事件等に遭遇すると送信側携帯電話機１０に搭載されるＣＣＤカメラ等によって事件現場の映像を撮影する。
【００３７】
送信側携帯電話機１０は、情報提供者の操作に従って、事件現場等の映像を撮影し動画データを生成する（ステップＳ１００）。そして、送信側携帯電話機１０は、情報提供者の操作に従って、通信ネットワーク１００を介して生成した動画データをニュース管理サーバ２０に送信する（ステップＳ１０１）。具体的には、送信側携帯電話機１０は、撮影した日時及び撮影した場所を入力され、その日時及び場所のテキスト情報に生成した動画データを添付ファイルとして付加した情報を電子メールとして送信する。以下、テキストに動画データを付加した情報を動画データ付加情報と記す。この動画データ付加情報に含まれる撮影した日時及び撮影した場所の情報は、ニュース管理サーバ２０において動画データを時間や場所毎に分類するための区分情報としての役割を果たす。
【００３８】
ニュース管理サーバ２０の動画データ受信部２１は、送信側携帯電話機１０から、動画データ付加情報を通信ネットワーク１００を介して受信する（ステップＳ１０２）。動画データ受信部２１は、受信した動画データ付加情報から、動画データ、動画を撮影した日時の情報、及び撮影した場所の情報を抽出する。そして、動画データ受信部２１は、動画データと、日時の情報と、場所の情報とを対応させて動画データ保管部２２に記憶させる（ステップＳ１０３）。
【００３９】
動画データ再生部２３は、ニュース配信業者の操作に従って、動画データ保管部２２が記憶する動画データに基づいて動画を再生する（ステップＳ１０４）。
動画データ再生部２３は、ニュース配信業者から事件が発生した日時及び場所の入力を受けつける。動画データ再生部２３は、動画データ保管部２２が記憶する動画データのうち、入力された日時が撮影した日時と一致し、且つ入力された場所が撮影した場所と一致する動画データを全て抽出する。動画データ再生部２３は、抽出した動画データの一覧を表示する。そして、動画データ再生部２３は、表示した動画データのうち、ニュース配信業者によって選択された（すなわち、ニュース配信業者がニュース管理サーバ２０のマウス等でクリックすることによって選択した）動画データに基づいて動画を再生する。そして、ニュース配信業者は、再生された動画を確認し、その動画データがニュースとして利用する価値があるか否かを判断する。
【００４０】
ニュースとして利用する価値があると判断され、ニュース配信業者から編集の指示が入力された場合には（ステップＳ１０５）、配信用ニュース編集部２４は、ニュース配信業者の操作に従って、動画データを用いて利用者に配信するための配信用ニュースを編集して生成する（ステップＳ１０６）。
【００４１】
図５は、配信用ニュース編集部２４が生成する配信用ニュースの例を示す説明図である。図５に示すように、配信用ニュース４００は、予め定められた形式の所定フォーマットに動画データ４１０とニュース配信業者によって作成された記事（送信者情報、ニュースの概要説明等）の文字データ４２０とを付加することによって生成される。この所定フォーマットは、付加された文字データ４２０を表示し、特定の箇所がクリックされると動画を表示するように設定されたデータである。利用者は、受信した配信用ニュース４００をブラウザ等を用いて受信側携帯電話機３０に表示してニュースを見ることができる。
【００４２】
ステップＳ１０６において、配信用ニュース編集部２４は、ニュース配信業者の操作に従って、動画データ４１０を編集する。すなわち、配信用ニュース編集部２４は、動画データ４１０に含まれる映像のうち不要部分（ニュースとして不要な映像）の削除等を行う。また、配信用ニュース編集部２４は、ニュース配信業者の操作に従って、動画データ４１０を配信用ニュース４００の所定フォーマットの動画データ部４０１に付加する。また、配信用ニュース編集部２４は、ニュース配信業者に送信者やニュースの概要を示すテキスト情報を入力されて、そのテキスト情報を配信用ニュース４００の所定フォーマットのテキスト部４０２にそれぞれ付加する。このように、配信用ニュース編集部２４は、所定フォーマットに、動画データ等を付加することによって配信用ニュース４００を生成する。
【００４３】
配信用ニュース送信部２５は、配信用ニュース編集部２４が生成した配信用ニュースを、通信ネットワーク１００を介して受信側携帯電話機３０に送信する（ステップＳ１０７）。例えば、配信用ニュース送信部２５は、配信用ニュースを電子メールで受信側携帯電話機３０に送信する。受信側携帯電話機３０は、通信ネットワーク１００を介して配信用ニュースを受信する（ステップＳ１０９）。
そして、受信側携帯電話機３０は、利用者の操作に従って、受信した配信用ニュースに含まれる動画データに基づいて、動画を再生する（ステップＳ１１０）。
ステップＳ１１０において、受信側携帯電話機３０は、利用者の操作に従って、図５に示す配信用ニュース４００を表示する。そして、利用者が図５に示す動画再生部４０３を選択してクリックすると、受信側携帯電話機３０は、動画データ部４０１に付加された動画データに基づいて動画を再生する。
【００４４】
なお、送信側携帯電話機１０とニュース管理サーバ２０との間の情報の送受信、及びニュース管理サーバ２０と受信側携帯電話機３０との間の情報の送受信の方法は、電子メールに限られない。例えば、ステップＳ１０７及びステップＳ１０９において、受信側携帯電話機３０がブラウザを用いてニュース管理サーバ２０に開設されるＷｅｂサイトにログインして配信用ニュースを取得してもよい。
【００４５】
ステップＳ１０５で、ニュースとして利用する価値がないと判断され、ニュース配信業者から動画データを削除する旨の指示が入力された場合には、動画データ再生部２３は、ニュース配信業者の操作に従って、動画データ保管部２２に記憶されるその動画データを削除する（ステップＳ１０８）。
【００４６】
図６は、本実施の形態における情報及び金銭の流れの概念を示す説明図である。図６に示すように、ニュース配信システムにおける情報の流れとして、情報提供者はニュース配信業者に動画データを提供し、ニュース配信業者は情報提供者からの動画データに基づいて配信用ニュースを編集生成し利用者にニュース配信を行う。また、ニュース配信システムにおける金銭の流れとして、利用者はニュース配信サービスを受けるためのサービス提供料をニュース配信業者に支払い、ニュース配信業者は情報提供料を情報提供者に支払う。
【００４７】
従って、情報提供者は、事件現場等の映像をカメラ付き携帯電話機で撮影してニュース配信業者に送信するという簡易な操作を行うのみで、送信した動画データがニュース配信業者によってニュースとして価値があると認められた場合には報酬を受け取ることができる。なお、情報提供料の支払いの形態として、例えば、送信した動画データの価値があると認められた場合には、１件当たり所定の情報提供料を情報提供者に支払い、動画データの価値が認められなかった場合には、情報提供料を支払わないようにしてもよい。
【００４８】
以上のように、本実施の形態によれば、ニュース配信業者は一般の情報提供者から受信した動画データを用いて簡易に配信用ニュースを生成して利用者に配信できるので、迅速なニュース配信をすることができる。また、利用者は、インターネット接続機能や動画再生機能を備えた携帯電話機等の端末を所持していれば、表現性の高い（すなわち、事件現場等の映像を撮影した動画データ等が付加された）ニュース情報を簡易に取得することができる。
【００４９】
また、ニュース配信業者は、情報提供者としてカメラ付き携帯電話機等を所持する一般の携帯電話機利用者から提供された動画データをニュースの編集のための素材として使用することができる。そのため、取材用の機材や人員等を大量に所持する必要がなく、容易に情報源及び取材要員を確保することができる。
【００５０】
実施の形態２．
次に、本発明の第２の実施の形態を図面を参照して説明する。本実施の形態におけるニュース配信システムの構成は、図１に示す構成と同じである。図７は、本実施の形態におけるニュース管理サーバ２０の構成の例を示す機能ブロック図である。また、ニュース管理サーバ２０のブロック図は、図３と同様である。ただし、制御部５００は、第１の実施の形態で示した各処理に加えて、以下に述べる動画データの品質判定処理を実行する。図７に示すように、ニュース管理サーバ２０は、図２に示した構成要素に加えて、受信した動画データの品質を判定する品質判定部２６を含む。図７において、動画データ受信部２１、動画データ保管部２２、動画データ再生部２３、配信用ニュース編集部２４、及び配信用ニュース送信部２５の構成及び機能は、第１の実施の形態と同じである。
【００５１】
品質判定部（品質判定手段）２６は、制御部５００によって実現される。品質判定部２６は、動画データの品質に基づいて動画データを廃棄するか否かを判定する。本実施の形態では、品質情報として動画データの再生時間及び画素数を用いる場合を例に説明する。画素数の情報は、例えば、送信側携帯電話機１０から受信すればよい。例えば、送信側携帯電話機１０は、動画を撮影する際に撮影した動画の画素数を記録する画素数記録用ソフトウェアがインストールされている。そして、送信側携帯電話機１０は、ニュース管理サーバ２０に動画データ付加情報を送信する際に、撮影した日時及び場所に加えて動画データの画素数の値を含むテキスト情報に動画データを付加した動画データ付加情報を送信する。
【００５２】
次に、動作について説明する。図８は、本実施の形態におけるニュース配信の処理経過の例を示す流れ図である。送信側携帯電話機１０は、情報提供者の操作に従って、事件現場の動画を撮影し動画データを生成する（ステップＳ２０）。
そして、送信側携帯電話機１０は、情報提供者の操作に従って、通信ネットワーク１００を介して動画データ付加情報をニュース管理サーバ２０に送信する（ステップＳ２１）。本実施の形態では、送信側携帯電話機１０は、撮影した日時及び撮影した場所の情報に加えて、動画データの画素数の情報を付加した動画データ付加情報を送信する。
【００５３】
ニュース管理サーバ２０の動画データ受信部２１は、送信側携帯電話機１０から、動画データ付加情報を通信ネットワーク１００を介して受信する（ステップＳ２２）。動画データ受信部２１は、受信した動画データ付加情報から、動画データ、動画を撮影した日時の情報、撮影した場所の情報、及び動画データの画素数の情報を抽出する。
【００５４】
品質判定部２６は、抽出された動画データに基づいて動画を再生した場合の再生時間を算出する（ステップＳ２３）。品質判定部２６は、再生時間及び画素数の値が予め定めた基準を満足するか否かを判定する（ステップＳ２４）。再生時間及び画素数の値がともに基準を満足する場合には、品質判定部２６は、動画データ及びその動画データに対応する撮影した日時と撮影した場所との情報を動画データ保管部２２に記憶させる。再生時間または画素数の値が基準を満足していない場合には、品質判定部２６は、その動画データを削除する（ステップＳ１０８）。
【００５５】
例えば、再生時間が予め定めた秒数未満であるかまたは画素数が予め定めた値未満である動画データについてはニュースの編集素材になりえない情報であるので予め排除したい場合には、品質判定部２６は、受信した動画データのうち、再生時間が予め定めた秒数未満または画素数が予め定めた値未満の動画データは全て削除する。そして、品質判定部２６は、再生時間が予め定めた秒数以上であり且つ画素数が予め定めた値以上の動画データのみを動画データ保管部２２に記憶させる。
【００５６】
以下、図８に示すステップＳ１０３からステップＳ１１０で実行される処理は、第１の実施の形態と同じである。
【００５７】
以上のように、本実施の形態によれば、再生時間や画素数等の値が予め定めた基準を満足しない動画データを予め排除するので、品質の高い動画データのみをニュース配信業者が利用することができる。従って、ニュース配信業者は、ニュースの素材となりえないような品質の悪い動画データまで動画を再生して確認する手間が必要なく、配信用ニュースを編集して生成する処理の効率化を図ることができる。
【００５８】
なお、ここでは品質情報として動画の再生時間と動画の画素数とを用いる場合を示したが、再生時間及び画素数は例示であり、再生時間や画素数以外の情報を品質情報として用いてもよい。また、再生時間のみを品質情報として用いてもよいし、あるいは画素数のみを品質情報として用いてもよい。
【００５９】
実施の形態３．
次に、本発明の第３の実施の形態を図面を参照して説明する。本実施の形態におけるニュース配信システムの構成は、図１に示す構成と同じである。図９は、本実施の形態におけるニュース管理サーバ２０の構成の例を示す機能ブロック図である。また、ニュース管理サーバ２０のブロック図は、図３と同様である。ただし、データベース装置５０２は、第１の実施の形態で示した情報に加えて、情報提供者に関する情報を記憶する。図９に示すように、ニュース管理サーバ２０は、図２に示した構成要素に加えて、送信側携帯電話機１０を所持する情報提供者の情報を記憶する情報提供者データ部２７と、送信側携帯電話機１０に取材を依頼する旨の情報（以下、取材依頼情報という）を送信する取材依頼送信部２８とを含む。図９において、動画データ受信部２１、動画データ保管部２２、動画データ再生部２３、配信用ニュース編集部２４、及び配信用ニュース送信部２５の構成及び機能は、第１の実施の形態と同じである。
【００６０】
情報提供者データ部（情報提供者情報記憶手段）２７は、データベース装置５０２によって実現される。取材依頼送信部（情報提供依頼送信手段）２８は、制御部５００及びネットワークインタフェース部５０３によって実現される。
【００６１】
本実施の形態では、情報提供者は、予めニュース配信業者と情報提供の契約を締結している者である。そして、情報提供者データ部２７は、情報提供者の情報（携帯電話電子メールアドレス、住所等）を記憶する。
【００６２】
図１０は、情報提供者データ部２７が記憶する情報提供者の情報の例を示す説明図である。図１０に示すように、情報提供者データ部２７は、各情報提供者の送信側携帯電話機１０の電子メールアドレス、自宅住所、及び勤務地（または通学地）の住所の情報を記憶する。例えば、情報提供者「ｂ」は、携帯電話電子メールアドレスが「０９０ｙｙｙｙｙｙｙｙ＠ａａａ．ｎｅ．ｊｐ  」であり、自宅住所が「東京都大田区」で勤務地（または通学地）住所が「東京都新宿区」である情報提供者である。
【００６３】
次に、動作について説明する。図１１は、本実施の形態におけるニュース配信の処理経過の例を示す流れ図である。ニュース配信業者は、配信用ニュースの編集の素材となりそうな事件等が発生したという情報を入手する。取材依頼送信部２８は、事件等が発生した場所の情報を入力されると（ステップＳ３０）、その近辺に自宅または勤務先（または通学先）がある情報提供者を情報提供者データ部２７から抽出する。そして、取材依頼送信部２８は、抽出した情報提供者に、通信ネットワーク１００を介して取材依頼情報を送信する（ステップＳ３１）。
【００６４】
例えば、ニュース配信業者が消防署から東京都世田谷区で火災が発生したという情報を入手した場合を例に説明する。取材依頼送信部２８には、ニュース配信業者によって、場所の情報（東京都世田谷区）が入力される。そして、動画データ受信部２１は、図１０に示す情報提供者データ部２７が記憶する情報提供者のうち、自宅住所が「東京都世田谷区」であるか、または勤務地（または通学地）住所が「東京都世田谷区」である情報提供者を全て抽出する。本例では、図１０に示すように、情報提供者「ｄ」の自宅住所が「東京都世田谷区」であり、情報提供者「ａ」，「ｆ」の勤務地（または通学地）住所が「東京都世田谷区」であるので、取材依頼送信部２８は、情報提供者「ａ」，「ｄ」，「ｆ」を抽出する。
【００６５】
取材依頼送信部２８は、情報提供者データ部２７から情報提供者「ａ」，「ｄ」，「ｆ」の携帯電話電子メールアドレス（本例では、「０９０ｘｘｘｘｘｘｘｘ＠ａａａ．ｎｅ．ｊｐ  」，「０９０ｘｘｘｘｙｙｙｙ＠ａａａ．ｎｅ．ｊｐ  」，「０９０ｙｙｙｙｚｚｚｚ＠ａａａ．ｎｅ．ｊｐ  」）を抽出する。取材依頼送信部２８は、抽出した携帯電話電子メールアドレスに基づいて、情報提供者「ａ」，「ｄ」，「ｆ」に、通信ネットワーク１００を介して取材依頼情報を送信する。
【００６６】
送信側携帯電話機１０は、ニュース管理サーバ２０から、通信ネットワーク１００を介して取材依頼情報を受信する（ステップＳ３２）。そして、受信した送信側携帯電話機１０を所持する情報提供者が取材依頼を受けた事件現場等の映像を撮影できる状態にあれば、以下、ステップＳ１００からステップＳ１１０までの処理が実行される。なお、図１１に示すステップＳ１００からステップＳ１１０で実行される処理は、第１の実施の形態と同じである。
【００６７】
以上のように、本実施の形態によれば、ニュース管理サーバ２０は、情報提供者に関する属性情報のデータベースを持ち、事件等が発生した場合にデータベースが記憶する情報に基づいて情報提供者に取材を依頼して情報を取得する。そのため、ニュースの素材となりそうな有力な情報を入手しているにもかかわらずニュース配信業者がそのニュースに関する情報を取得するための取材手段を有していないために、そのニュースの配信を行えないという事態を防止できる。
【００６８】
また、ニュース配信業者が予め強力な情報源（例えば、警察や消防署等から直接情報を入手できる場合）を有している場合には、第１の実施の形態で示したカメラ付き携帯電話機を所持する一般の情報提供者から入手する情報と、本実施の形態により入手する情報とを併用して利用してもよい。そのようにすれば、これら強力な情報源のみを有する場合に比べてより効率的なニュース配信を行うことができる。
【００６９】
なお、本実施の形態では、情報提供者データ部２７が各情報提供者の携帯電話電子メールアドレス、自宅住所及び勤務地（または通学地）住所を記憶する場合を例に説明したが、情報提供者データ部２７が記憶する情報は本例で示した情報に限られない。例えば、情報提供者データ部２７は、各情報提供者の通勤経路（または通学経路）等の情報を記憶するものであってもよい。
【００７０】
また、本実施の形態においても、第２の実施の形態と同様に、動画データの品質に関する情報に基づいて予め定めた基準を満足しない動画データを排除するようにしてもよい。そのようにすれば、より効率的なニュース配信を行うことができる。
【００７１】
実施の形態４．
次に、本発明の第４の実施の形態を図面を参照して説明する。図１２は、本実施の形態におけるニュース配信システムの構成の例を示すブロック図である。図１２に示すように、ニュース配信システムにおいては、送信側携帯電話機１０と、ニュース管理サーバ２０と、テレビジョン放送の放送局５０が使用する放送局端末５１とが、通信ネットワーク１００に接続される。また、放送局５０は、放送局端末５１に加えて、ニュース等の情報を放送用電波信号として送信するテレビジョン放送機５２とを含む。そして、テレビジョン放送機５２は、テレビジョン放送網１１０を介してニュース等の情報を利用者（視聴者）が使用するテレビジョン受信機６０に送信する。
【００７２】
ニュース管理サーバ（情報管理サーバ）２０は、ニュース配信業者によって使用されるサーバであり、Ｗｅｂサーバ等の情報処理装置である。また、放送局端末（配信用情報生成端末）５１は、放送局５０の担当者によって使用される端末であり、パーソナルコンピュータ等の情報処理端末である。なお、送信側携帯電話機１０の機能及び構成は、第１の実施の形態と同じである。
【００７３】
図１３は、ニュース管理サーバ２０及び放送局端末５１の構成の例を示す機能ブロック図である。図１３に示すように、ニュース管理サーバ２０は、動画データ受信部２１と、動画データ保管部２２と、動画データ再生部２３と、動画データを放送局端末５１に送信する動画データ送信部２９とを含む。また、放送局端末５１は、ニュース管理サーバ２０から動画データを受信する動画データ受信部５１１と、動画データに基づいて動画を再生する動画データ再生部５１２と、配信用ニュースを編集して生成する配信用ニュース編集部５１３とを含む。なお、動画データ受信部２１、動画データ保管部２２及び動画データ再生部２３の機能及び実現方法は、第１の実施の形態と同じである。
【００７４】
ニュース管理サーバ２０及び放送局端末５１のブロック図は、いずれも図３と同様である。ただし、放送局端末５１は、図３に示した構成要素のうちデータベース装置５０２を含まないものであってもよい。
【００７５】
ニュース管理サーバ２０において、動画データ送信部２９は、ニュース管理サーバ２０の制御部５００及びネットワークインタフェース部５０３によって実現される。放送局端末５１において、動画データ受信部５１１は、放送局端末５１の制御部５００及びネットワークインタフェース部５０３によって実現される。
また、動画データ再生部（画像再生手段）５１２及び配信用ニュース編集部（情報生成手段）５１３は、放送局端末５１の制御部５００、入力部５０４及び出力部５０５によって実現される。
【００７６】
次に、動作について説明する。図１４は、本実施の形態によるニュース配信の処理経過の例を示す流れ図である。図１４に示すステップＳ１００からステップＳ１０５で実行される処理は、第１の実施の形態と同じである。
【００７７】
ステップＳ１０５で、ニュースとして利用する価値がないと判断され、ニュース配信業者から動画データを削除する旨の指示が入力された場合には、動画データ再生部２３は、ニュース配信業者の操作に従って、動画データ保管部２２に記憶されるその動画データを削除する（ステップＳ４０）。ニュースとして利用する価値があると判断され、ニュース配信業者からその動画データの送信の指示が入力された場合には、動画データ送信部２９は、その動画データを、通信ネットワーク１００を介して放送局端末５１に送信する（ステップＳ４１）。具体的には、動画データ送信部２９は、撮影した日時及び場所のテキスト情報に、ニュースとして利用する価値があると判断した動画データを添付ファイルとして付加した情報を電子メールとして送信する。以下、価値があると判断した動画データをテキストに付加した情報を有用動画データ付加情報と記す。
【００７８】
この場合に、動画データ送信部２９は、ニュース配信業者の操作に従って、有用動画データ付加情報のテキスト部（すなわち、電子メールの本文）に動画を撮影した日時や撮影した場所等の情報を含めて送信してもよい。また、動画データ送信部２９は、動画を撮影した日時や撮影した場所等の情報を動画データ保管部２２から自動的に抽出して、有用動画データ付加情報のテキスト部に付加して送信してもよい。
【００７９】
放送局端末５１の動画データ受信部５１１は、ニュース管理サーバ２０から、有用動画データ付加情報を通信ネットワーク１００を介して受信する（ステップＳ４２）。動画データ再生部５１２は、放送局５０の担当者の操作に従って、受信した有用動画データ付加情報から動画データを抽出する。そして、動画データ再生部５１２は、放送局５０の担当者の操作に従って、抽出した動画データに基づいて動画を再生する（ステップＳ４３）。そして、放送局５０の担当者は、再生された動画を確認し、その動画データがニュースとして利用する価値があるか否かを判断する。
【００８０】
ニュースとして利用する価値があると判断され、放送局５０の担当者から編集の指示が入力された場合には（ステップＳ４４）、配信用ニュース編集部５１３は、放送局５０の担当者の操作に従って、動画データを用いて配信用ニュースを編集して生成する（ステップＳ４５）。
【００８１】
配信用ニュースは、図５で示した動画データ４１０や文字データ４２０に加えて、放送局５０のアナウンサ等によって作成された音声データ（ニュースの概要説明等）を、予め定められた放送用の所定フォーマットに付加することによって生成される。この放送用の所定フォーマットは、付加された動画データ４１０に基づく動画及び文字データ４２０をテレビジョン受信機６０に表示し、付加された音声データに基づく音声をテレビジョン受信機６０に出力させるように設定されたデータである。
【００８２】
テレビジョン放送機５２は、放送局端末５１の動画データ再生部５１２が生成した配信用ニュースを、放送用電波信号としてテレビジョン放送網１１０を介して各家庭のテレビジョン受信機６０に送信する（ステップＳ４７）。テレビジョン受信機６０は、テレビジョン放送網１１０を介して配信用ニュースを受信する（ステップＳ４８）。そして、テレビジョン受信機６０は、受信した配信用ニュースに含まれる動画データに基づいて、動画を再生して表示する。すなわち、利用者は、配信用ニュースをテレビジョン受信機６０で視聴することができる。
【００８３】
ステップＳ４４で、ニュースとして利用する価値がないと判断され、放送局５０の担当者から動画データを削除する旨の指示が入力された場合には、動画データ再生部５１２は、放送局５０の担当者の操作に従って、受信した動画データを削除する（ステップＳ４６）。
【００８４】
以上のように、本実施の形態によれば、ニュース配信業者は、ニュースの受信機能及び動画データ再生機能を備えた携帯端末を所持する利用者だけでなく、テレビジョン放送の視聴者等の異なる情報メディア（通信メディア、放送メディア等）の利用者に対してもニュースを配信することができる。また、ニュース配信業者は、放送局５０にニュースの編集の素材となる動画データを提供することによって、放送局５０より情報提供料を受けることができる。
【００８５】
なお、本実施の形態では、放送局５０が配信用ニュースを放送用電波信号としてテレビジョン放送網１１０を介して一般の利用者のテレビジョン受信機６０に送信する場合を例に説明したが、放送局５０はインターネット放送の放送局であってもよい。また、利用者が使用する端末は、テレビジョン受信機６０ではなくインターネット放送を受信できる機能を備えたパーソナルコンピュータ等の情報処理端末であってもよい。この場合には、放送局端末５１は、配信用ニュースを、インターネットを介して利用者の情報処理端末に送信する。そして、利用者の情報処理端末は、利用者の操作に従って、インターネットを介して受信した配信用ニュースを表示する。
【００８６】
また、放送局端末５１が配信用ニュースを編集して生成するのでなく、ニュース管理サーバ２０が配信用ニュース編集生成機能を備えてもよい。この場合には、ニュース管理サーバ２０が放送用の配信用ニュースを編集して生成し、放送局端末５１に配信用ニュースを送信する。
【００８７】
また、ニュースとして利用する価値があると判断された動画データのみを放送局５０に提供するのではなく、一般の情報提供者からの動画データを全て放送局５０に提供するようにしてもよい。すなわち、ニュース管理サーバ２０は、送信側携帯電話機１０から受信した動画データを全て放送局端末５１に送信するようにしてもよい。
【００８８】
また、本実施の形態においても、第２の実施の形態と同様に、動画データの品質に関する情報に基づいて予め定めた基準を満足しない動画データを排除するようにしてもよい。さらに、第３の実施の形態と同様に、ニュース管理サーバ２０が情報提供者に関する属性情報のデータベースを持ち、事件等が発生した場合にデータベースが記憶する情報に基づいて情報提供者に取材を依頼して情報を取得するようにしてもよい。
【００８９】
また、第１の実施の形態から第４の実施の形態では、情報提供者が動画データ生成機能を備えた携帯電話機を用いる場合を例に説明したが、情報提供者は、事件現場等の写真を撮影して静止画データを生成する携帯端末を用いて情報提供をするようにしてもよい。また、情報提供者は、上記の動画データ生成機能や静止画データ生成機能に加えて音声を録音できる携帯端末を用いて、動画データや静止画データとともに音声データを取得して情報提供をするようにしてもよい。そのようにすれば、動画データのみを提供する場合と比較して、ニュース配信業者は、より表現性の高い配信用ニュースを編集生成できる。
【００９０】
【発明の効果】
本発明による情報配信システムによれば、画像データを作成する携帯端末から受信した画像データに基づいて管理者に画像を提示する画像再生手段と、画像データと管理者から入力される情報とを用いて、利用者端末に配信する配信用情報を生成する情報生成手段と、配信用情報を、情報伝達網を介して利用者端末に配信する情報配信手段とを備え、情報生成手段は、画像及び管理者から入力されるデータを所定の形式で提示するフォーマットデータに、画像データと管理者から入力されるデータとを付加することによって配信用情報を生成するように構成したので、一般の情報提供者から受信した画像データを用いて簡易に配信用情報を生成して利用者に配信でき、迅速な情報配信をすることができる。また、利用者は、情報の受信機能や画像再生機能を備えた端末を所持していれば、表現性の高い（すなわち、事件現場等の画像を撮影した画像データ等が付加された）情報を簡易に取得することができる。
【００９１】
本発明による情報配信方法によれば、画像データを作成する携帯端末から画像データを受信するステップと、画像データに基づいて管理者に画像を提示するステップと、  画像及び管理者から入力されるデータを所定の形式で提示するフォーマットデータに、画像データと管理者から入力されるデータとを付加することによって配信用情報を生成するステップと、配信用情報を、情報伝達網を介して利用者端末に配信するステップとを含むので、一般の情報提供者から受信した画像データを用いて簡易に配信用情報を生成して利用者に配信でき、迅速な情報配信をすることができる。また、利用者は、情報の受信機能や画像再生機能を備えた端末を所持していれば、表現性の高い（すなわち、事件現場等の画像を撮影した画像データ等が付加された）情報を簡易に取得することができる。
【００９２】
本発明による情報配信プログラムによれば、コンピュータに、画像データを作成する携帯端末から画像データを受信する処理と、画像データに基づいて管理者に画像を提示する処理と、画像及び管理者から入力されるデータを所定の形式で提示するフォーマットデータに、画像データと管理者から入力されるデータとを付加することによって配信用情報を生成する処理と、配信用情報を、情報伝達網を介して利用者端末に配信する処理とを実行させるので、一般の情報提供者から受信した画像データを用いて簡易に配信用情報を生成して利用者に配信でき、迅速な情報配信をすることができる。また、利用者は、情報の受信機能や画像再生機能を備えた端末を所持していれば、表現性の高い（すなわち、事件現場等の画像を撮影した画像データ等が付加された）情報を簡易に取得することができる。
【図面の簡単な説明】
【図１】本発明によるニュース配信システムの構成の一例を示すブロック図である。
【図２】ニュース管理サーバの構成の一例を示す機能ブロック図である。
【図３】ニュース管理サーバの構成の一例を示すブロック図である。
【図４】ニュース配信の処理経過の一例を示す流れ図である。
【図５】配信用ニュースの内容の例を示す説明図である。
【図６】ニュース配信システムにおける情報の流れと金銭の流れの概念を示す説明図である。
【図７】ニュース管理サーバの構成の他の例を示す機能ブロック図である。
【図８】ニュース配信の処理経過の他の例を示す流れ図である。
【図９】ニュース管理サーバの構成のさらに他の例を示す機能ブロック図である。
【図１０】情報提供者データ部が記憶する情報の例を示す説明図である。
【図１１】ニュース配信の処理経過のさらに他の例を示す流れ図である。
【図１２】本発明によるニュース配信システムの構成の他の例を示すブロック図である。
【図１３】ニュース管理サーバの構成のさらに他の例、及び放送局端末の構成の一例を示す機能ブロック図である。
【図１４】ニュース配信の処理経過のさらに他の例を示す流れ図である。
【符号の説明】
１０  送信側携帯電話機
２０  ニュース管理サーバ
２１  動画データ受信部
２２  動画データ保管部
２３  動画データ再生部
２４  配信用ニュース編集部
２５  配信用ニュース送信部
３０  受信側携帯電話機
１００  通信ネットワーク
【図１】
2004164138.tif 000003
【図２】
2004164138.tif 000004
【図３】
2004164138.tif 000005
【図４】
2004164138.tif 000006
【図５】
2004164138.tif 000007
【図６】
2004164138.tif 000008
【図７】
2004164138.tif 000009
【図８】
2004164138.tif 000010
【図９】
2004164138.tif 000011
【図１０】
2004164138.tif 000012
【図１１】
2004164138.tif 000013
【図１２】
2004164138.tif 000014
【図１３】
2004164138.tif 000015
【図１４】
2004164138.tif 000016